(57)【要約】【課題】回路遮断器本体の開閉機構が投入された状態では、速結端子装置に挿入接続された電線の取り外しができないようにした回路遮断器を得る。【解決手段】回路遮断器本体２００に配設された速結端子装置１００を備えた回路遮断器において、回路遮断器本体に、一端がハンドル２０４に連結され、他端が速結端子装置１００の方向に延出し、ハンドル２０４の操作に連動してスライド移動される解除ロック部材２０９を備え、ハンドルがＯＮ位置にあるときは、解除ロック部材の他端２０９ａが速結端子装置の接続表示部材４と係合して、接続表示部材の鎖錠ばね３方向への移動を阻止するように構成した。【選択図】図１
2008041610.tif 000002
【特許請求の範囲】
【請求項１】
絶縁筐体に装着され外部から操作を行うハンドルと、このハンドルの操作と連動する可動接触子と、この可動接触子と接離する固定接触子とを備えた回路遮断器本体、絶縁筐体に収納され上記回路遮断器本体の負荷端子側に配設され、電線を着脱可能に支持して、該電線と回路遮断器本体の負荷端子とを接続または非接続とする速結端子装置を備えた回路遮断器において、上記ハンドルの操作と連動してスライド駆動され、上記ハンドルがＯＮ位置にあるときは、上記速結端子装置に装着された電線の取り外しを阻止する解除ロック手段を備えたことを特徴とする回路遮断器。
【請求項２】
絶縁筐体に装着され外部から操作を行うハンドルと、このハンドルの操作と連動する可動接触子と、この可動接触子と接離する固定接触子とを備えた回路遮断器本体、絶縁筐体に収納され上記回路遮断器本体の端子装置として回路遮断器本体に配設された速結端子装置を備えた回路遮断器において、上記速結端子装置は、外部からの電線と接続される速結側端子と、この速結側端子と対向配置され、上記電線を上記速結側端子の電線接続面に押圧する接圧ばね、および上記電線が電線の取り外し方向に抜けないように移動を規制する鎖錠ばねと、上記鎖錠ばねを押圧して鎖錠ばねによる電線取り外しの移動規制を解除するための鎖錠ばね押込部、およびラッチ係合部を有し、上記電線の接続状態の表示のために上記絶縁筐体に設けられた表示孔の位置で上下にスライドするように作動する接続表示部材と、この接続表示部材を上記鎖錠ばねと反対側の方向に付勢する接続表示ばねと、上記電線が接続されていないときに上記接続表示部材のラッチ係合部と係合して上記接続表示ばねによる接続表示部材の移動を規制すると共に、上記電線が接続されたときにその係合を解除するラッチと、上記ラッチを上記接続表示部材に係合する方向に付勢するラッチばねとを具備し、上記回路遮断器本体には、一端が上記ハンドルに連結され、他端が上記速結端子装置の方向に延出し、上記ハンドルの操作に連動してスライド移動される解除ロック部材を備え、上記ハンドルがＯＮ位置にあるときは、上記解除ロック部材の他端が上記接続表示部材と係合して、接続表示部材の鎖錠ばね方向への移動を阻止するようにしたことを特徴とする回路遮断器。
【請求項３】
解除ロック部材が金属で形成されていることを特徴とする請求項２に記載の回路遮断器。
【発明の詳細な説明】
【技術分野】
【０００１】
この発明は回路遮断器に関し、特に電線の接続・取り外しが簡単である速結端子装置を備えた回路遮断器の安全機構に関するものである。
【背景技術】
【０００２】
回路遮断器の端子に電線を接続するとき、端子ねじによる締め付けをする他に、端子ねじの締め付けを行う作業者の熟練度に左右されずに、常に一定の接続状態を確保することを可能とし、さらに電線を接続する作業時間を短縮することを可能とした速結端子装置が、回路遮断器の端子装置として用いられている。
【０００３】
このような従来の速結端子装置の一例として、例えば、特開平５−８２１８２号公報（以下、特許文献１と称す。）に示されるものがある。この特許文献１に示される速結端子装置の電線接続は、電線を電線挿入隙間に挿入し、電線の先端でラッチ板を押すと、引掛受け部が係止部から外れて表示片が移動し、電線は鎖錠ばね部により鎖錠され端子板に圧接されて結線状態になると共に、表示片の移動で結線状態を表示するようにしている。
また、電線の取り外しは電線を回転しながら抜くようにしている。
【０００４】
【特許文献１】特開平５−８２１８２号公報（第３頁左欄第４８行〜右欄第７行、第１図）
【発明の開示】
【発明が解決しようとする課題】
【０００５】
このような従来の回路遮断器の速結端子装置においては、回路遮断器本体の可動接点をハンドルによって操作し固定接点に対して開閉を行う機構部と、速結端子装置との間には機構的な関連が無いため、速結端子装置に接続された電線を取り外すときに、回路遮断器が通電あるいは無通電の状態に関係なく、電線を取り外すことが可能な構造であった。
回路遮断器が通電の状態にあるときに電線が速結端子装置から取り外された場合、電線と速結端子装置の端子部の接触部間でアークが発生し、危険な状態が生ずることがあり、さらに発生したアークによって、電線と接触していた端子部の接触部の状態が悪くなり、接触部の信頼性が悪くなるという問題があった。
【０００６】
この発明は、上述のような従来装置の課題を解決するためになされたもので、回路遮断器本体の開閉機構が投入された状態では、速結端子装置に挿入接続された電線の取り外しができないようにした速結端子装置を備えた回路遮断器を得ることを目的とする。
【課題を解決するための手段】
【０００７】
この発明に係る回路遮断器は、絶縁筐体に装着され外部から操作を行うハンドルと、このハンドルの操作と連動する可動接触子と、この可動接触子と接離する固定接触子とを備えた回路遮断器本体、絶縁筐体に収納され上記回路遮断器本体の負荷端子側に配設され、電線を着脱可能に支持して、該電線と回路遮断器本体の負荷端子とを接続または非接続とする速結端子装置を備えた回路遮断器において、上記ハンドルの操作と連動してスライド駆動され、上記ハンドルがＯＮ位置にあるときは、上記速結端子装置に装着された電線の取り外しを阻止する解除ロック手段を備えたものである。
【０００８】
また、上記速結端子装置は、外部からの電線と接続される速結側端子と、この速結側端子と対向配置され、上記電線を上記速結側端子の電線接続面に押圧する接圧ばね、および上記電線が電線の取り外し方向に抜けないように移動を規制する鎖錠ばねと、この鎖錠ばねを押圧して鎖錠ばねによる電線取り外しの移動規制を解除するための鎖錠ばね押込部、およびラッチ係合部を有し、上記電線の接続状態の表示のために上記絶縁筐体に設けられた表示孔の位置で上下にスライドするように作動する接続表示部材と、この接続表示部材を上記鎖錠ばねと反対側の方向に付勢する接続表示ばねと、上記電線が接続されていないときに上記接続表示部材のラッチ係合部と係合して上記接続表示ばねによる接続表示部材の移動を規制すると共に、上記電線が接続されたときにその係合を解除するラッチと、上記ラッチを上記接続表示部材に係合する方向に付勢するラッチばねとを具備し、上記解除ロック手段は、一端が上記回路遮断器本体のハンドルに連結され、他端が上記速結端子装置の方向に延出し、上記ハンドルの操作に連動してスライド移動される解除ロック部材を備え、上記ハンドルがＯＮ位置にあるときは、上記解除ロック部材の他端が上記速結端子装置の接続表示部材と係合して、接続表示部材の鎖錠ばね方向への移動を阻止するように構成したものである。
【発明の効果】
【０００９】
この発明の回路遮断器によれば、回路遮断器本体のハンドルと連動して動作する解除ロック手段の追加により、回路遮断器本体のハンドルがＯＮ位置にあって通電の状態であるときに、速結端子装置に接続された電線を容易には取り外すことができなくなるため、速結端子装置の端子と電線との間でアークが発生することがなく、安全性の高い速結端子装置を備えた回路遮断器を得ることができる。
【発明を実施するための最良の形態】
【００１０】
実施の形態１．
以下、この発明の実施の形態１の回路遮断器について、図１〜図８を用いて説明する。
図１はこの発明の実施の形態１における回路遮断器の全体構成図であり、図１（ａ）は電線が接続される前の速結端子装置およびＯＦＦ状態の回路遮断器本体を示した平面図、図１（ｂ）は側面図、図２は電線が接続された後の速結端子装置およびＯＦＦ状態の回路遮断器本体を示すもので、図２（ａ）は側面図、図２（ｂ）は、図２（ａ）の速結端子装置部のみの拡大図、図３は、電線が接続された後の速結端子装置およびＯＮ状態の回路遮断器本体を示した側面図、図４〜図８は実施の形態１の回路遮断器に使用される主要な構成部品の概略図である。なお、図中、同一符号は、同一又は相当部分を示すものとする。
【００１１】
図１において、速結端子装置１００は、速結端子中ベース１０１、速結端子カバー左１０２（紙面上、左側が電源側、右側が負荷側、すなわち、速結端子装置１００は通常、負荷側に具備され、また、通常、回路遮断器は電源側を上側にするため、１０２を「左」、後述する１０３を「右」と呼称する）、および速結端子カバー右１０３からなる絶縁筐体で構成され、それぞれ合成樹脂で形成されている。
速結端子装置１００には、後述する電線を挿入するための電線挿入孔１００ａと、電線接続状態を確認するための表示孔１００ｂが設けられている。
【００１２】
１は電線と接触して接続される速結側端子（図４参照）、２はこの速結側端子１の電線接続面１ａと対向して設けられ、速結側端子１に電線を押圧する接圧ばね（図５参照）、３はこの接圧ばね２と同様に電線接続面１ａと対向して設けられ、電線がその取り外し方向に抜けないように規制する鎖錠ばねである。４は電線の接続状態の表示のために速結端子装置１００の表示孔１００ｂの位置で上下にスライドするように作動するとともに、鎖錠ばね３を押圧するための鎖錠ばね押込部４ａとラッチ係合部４ｂとを有する接続表示部材である接続表示ボタン（図６参照）であり、合成樹脂で形成されている。
５は接続表示ボタン４を上方向に付勢するための接続表示ばね、６は電線が接続されていないときに接続表示ボタン４のラッチ係合部４ｂと係合し、電線が接続されたときにその係合部を解除するラッチで、電線受け部６ａを有し、合成樹脂で形成されている。（図７参照）
７はラッチ６を接続表示ボタン４に係合する方向に付勢するラッチばねである。
【００１３】
回路遮断器本体２００は、中ベース２０１、カバー左２０２、およびカバー右２０３からなる絶縁筐体で構成され、中ベース２０１に図示しない開閉機構部が収納されており、この開閉機構部に連動するハンドル２０４が絶縁筐体より突出しており、外部から手によって操作する構造となっており、それぞれ合成樹脂で形成されている。
２０５はハンドル２０４の操作によって連動する可動接触子、２０６は回路遮断器本体２００の電源側に配置された固定接触子、２０７は回路遮断器本体２００の負荷側端子ねじ、２０８は負荷側端子ねじ２０７により速結側端子１と接続された回路遮断器本体の負荷側端子、２０９は、一端がハンドル２０４の取付孔２０４ａに取り付けられ、他端が速結端子装置１００の方向に延出した解除ロック部材（図８参照）で、金属部材で形成されている。この解除ロック部材２０９はハンドル２０４の操作によって左右にスライドして動作する構成になっている。
【００１４】
次に、実施の形態１の回路遮断器における速結端子装置１００の動作について、図２（ａ）、（ｂ）を参照しながら説明する。
被覆を剥いだ電線３００を電線挿入孔1００ａから挿入すると、電線３００は速結端子中ベース１０１の電線止め部１０１ａに当たるまで挿入される。電線３００が挿入されたとき、鎖錠ばね３の鎖錠ばね先端部３ａが電線３００に食い込むことにより、電線３００が取り外しの方向に抜けないようにしている。また、電線３００は、接圧ばね２のばね力によって対向位置にある速結側端子１の電線接続面１ａに押圧されている。電線３００が接圧ばね２に押圧された後、電線３００の電線先端部３００ａによりラッチ６の電線受け部６ａが押し込まれて、ラッチ６は速結端子中ベース１０１のラッチ軸１０１ｂを中心に回転し、接続表示ボタン４のラッチ係合部４ｂとの係合が解除される。その結果、接続表示ボタン4は、接続表示ばね５の付勢力により速結端子中ベース１０１の接続表示止め部１０１ｃまで移動する。これにより電線３００が結線状態になったことを表示する。
【００１５】
次に、接続表示ボタン４を工具等により矢印の方向に押し込んだとき、接続表示ボタン４の鎖錠ばね押込部４ａが鎖錠ばね３を押し込み、鎖錠ばね先端部３ａが電線３００から離れたときに、電線３００を取り外すことが可能となる。
電線３００が取り外しされたとき、ラッチ６の電線受け部６ａは電線３００による押込みが無くなるため、ラッチばね７の付勢力によって元の位置に復帰し、工具等による接続表示ボタン４への押込みを取り除くと、接続表示ボタン４のラッチ係合部４ｂはラッチ６と係合し、元の電線接続前の状態に戻る。
【００１６】
次に回路遮断器本体の動作について説明する。図２は、回路遮断器本体２００がＯＦＦの状態である。このＯＦＦの状態からハンドル２０４を反時計回転方向に操作することにより可動接触子２０５を固定接触子に接触させ、回路遮断器はＯＮ状態となり、図３に示す通りとなる。また、ハンドル２０４の操作により、解除ロック部材２０９も連動して動作し、解除ロック部材の先端部２０９ａは、スライドして動作し、速結端子装置１００の接続表示ボタン４の下側部まで到達する。
【００１７】
前述したように、速結端子装置１００に電線３００を挿入すると、接続表示ボタン４が接続表示止め部１０１ｃまで移動する。ここで、回路遮断器本体のハンドル２０４の操作により可動接触子２０５と固定接触子２０６を接触させＯＮ状態としたとき、ハンドル２０４と連動してスライド動作した解除ロック部材２０９の先端部２０９ａが接続表示ボタン４の下側部に位置しているため、電線３００を取外しするために接続表示ボタン４を押込もうとしても、解除ロック部材２０９の先端部２０９ａにより接続表示ボタン４の移動が規制され、押込みすることができない。よって、電線３００が接続された状態で回路遮断器本体がＯＮ状態のときには、電線を取り外しすることができなくなる。
【００１８】
以上のように、この発明の実施の形態1によれば、回路遮断器本体のハンドルと連動して動作する解除ロック部材２０９の追加により、回路遮断器本体のハンドル２０４がＯＮ位置にあって通電の状態であるときに、速結端子装置１００に接続された電線３００を容易には取り外すことができなくなるため、速結端子装置１００の速結側端子１と電線３００との間でアークが発生することがなく、安全性の高い速結端子装置を備えた回路遮断器を得ることができる。
【００１９】
また、解除ロック部材を金属材料で形成することによって、樹脂に比べて材料強度が高いので、電線ロック時の接続表示部材の押し込み強度を高くすることができる。
【図面の簡単な説明】
【００２０】
【図１】この発明の実施の形態１における回路遮断器の全体構成図であり、（ａ）は電線が接続される前の速結端子装置及びＯＦＦ状態の回路遮断器本体を示す平面図、（ｂ）は側面図である。
【図２】この発明の実施の形態１における回路遮断器の構成図であり、（ａ）は電線が接続された後の速結端子装置及びＯＦＦ状態の回路遮断器本体を示した側面図、（ｂ）は速結端子装置部のみの拡大図である。
【図３】この発明の実施の形態１における回路遮断器の構成図であり、電線が接続された後の速結端子装置及びＯＮ状態の回路遮断器本体を示した側面図である。
【図４】速結端子装置の速結側端子の斜視図である。
【図５】速結端子装置の接圧ばね及び鎖錠ばねの斜視図である。
【図６】速結端子装置の接続表示ボタンの斜視図である。
【図７】速結端子装置のラッチを示すもので（ａ）は正面図、（ｂ）は側面図、（ｃ）は斜視図である。
【図８】解除ロック部材を示すもので、（ａ）は正面図、（ｂ）は側面図である。
【符号の説明】
【００２１】
１  速結側端子、１ａ  電線接続面、２  接圧ばね、３  鎖錠ばね、４  接続表示部材
４ａ  鎖錠ばね押込部、４ｂ  ラッチ係合部、５  接続表示ばね、６  ラッチ、
６ａ  電線受け部、７  ラッチばね、１００  速結端子装置、
１０１  速結端子装置中ベース、１０２  速結端子装置カバー左、
１０３  速結端子装置カバー右、２００  回路遮断器本体、２０１  中ベース、
２０２  カバー左、２０３  カバー右、２０４  ハンドル、２０５  可動接触子
２０６  固定接触子、２０７  負荷側端子ねじ、２０８  負荷側端子、
２０９  解除ロック部材。
【図１】
2008041610.tif 000003
【図２】
2008041610.tif 000004
【図３】
2008041610.tif 000005
【図４】
2008041610.tif 000006
【図５】
2008041610.tif 000007
【図６】
2008041610.tif 000008
【図７】
2008041610.tif 000009
【図８】
2008041610.tif 000010